(57)【特許請求の範囲】
【請求項１】
カードと、
前記カードが装着されるカード台紙と、
前記カード台紙又は前記カードに貼付され、剥離及び再貼付が可能であり、少なくともカードを特定できる情報を含むカード情報の印字部を有するラベルと、
申込事項記入部及び前記ラベルを貼付するラベル貼付部を有し、控え票が複写可能であって、申込み用の複写伝票とを備え、
前記ラベルは、
印字可能なラベル基材と、
前記ラベル基材の裏面に形成され、剥離かつ再粘着可能な第１粘着層と、
前記第１粘着層が剥離可能な透明又は半透明な中間基材と、
前記中間基材を前記カード台紙又は前記カードに粘着する透明又は半透明な第２粘着層とを含み、
前記カード台紙又は前記カードのラベル貼付領域に、注意を喚起する注意喚起印刷を形成したこと
を特徴とするカード申込み書類。
【請求項２】
カードと、
前記カードに貼付され、剥離及び再貼付が可能であり、少なくともカードを特定できる情報を含むカード情報の印字部を有するラベルと、
申込事項記入部及び前記ラベルを貼付するラベル貼付部を有し、控え票が複写可能であって、申込み用の複写伝票とを備え、
前記ラベルは、
印字可能なラベル基材と、
前記ラベル基材の裏面に形成され、剥離かつ再粘着可能な第１粘着層と、
前記第１粘着層が剥離可能な透明又は半透明な中間基材と、
前記中間基材を前記カードに粘着する透明又は半透明な第２粘着層とを含み、
前記カードのラベル貼付領域に、注意を喚起する注意喚起印刷を形成したこと
を特徴とするカード申込み書類。
【発明の詳細な説明】
【０００１】
【発明の属する技術分野】
本発明は、店舗発行のポイントカード等の申込みに好適なカード申込み書類に関するものである。
【０００２】
【従来の技術】
従来、店舗発行のポイントカードにおいて、カードへのクレジットカード機能の有無が混在している場合に、エンドユーザーへのカード送付に使うカード台紙を申込書として代用する場合があった。
【０００３】
図６は、従来のカード申込み書の一例を示す図である。
この申込み書５０は、台紙５１と、カード６１を装着するための切り欠き５２と、バーコード印字欄５３と、申込事項記入欄５４と、店舗記入欄５５と、ミシン目によって切取り可能な領収書５６などを備えている。
【０００４】
図７は、カード発行システムの一般的構成を示す図である。
このカード発行システム７０は、以下のようにして、クレジット機能付きのカード６２を発行する。
【０００５】
（１）  送付台紙８０は、宛て名情報や会員番号、挿入枚数などを印字した後に、用紙搬送部にセットされ、ＯＣＲフォームリーダ７１の下にフィードされる。ＯＣＲフォームリーダ７１で読み取られた会員番号は、発行システム７０のメモリに格納される。そして、送付台紙８０は、用紙搬送部によって、インサート部７４に搬送される。
【０００６】
（２）  一方、作成されたカード６２は、カードリッジにセットして、インプットホッパ７２に装着されており、１枚ずつフィードされ、エンボスリーダ又は磁気カードリーダなどのカードリーダ７３によって、会員番号が読み取られる。
【０００７】
（３）  カード発行システム７０は、２つの会員番号（カード番号）が一致すると、インサート部７４で、カード６２を送付台紙８０に挿入する。
（４）  次いで、送付台紙８０は、バースタ７５によって個々の台紙に切り離され、トリマ７６によって左右の２つの台紙及びスプロケット孔が切り取られる。最後に、折り機７７によって、３つ折りされた後に、アウトプットスターカ７８のトレイに収納される。
【０００８】
図６のカード６１の場合も、図７のカード発行システム７０を用いて、カード台紙５０のバーコード欄５３に印字したバーコード（会員番号）と、カード６１のエンボス（会員番号）６１ａが一致した場合に、カード６１をカード台紙５０に装着していた。
【０００９】
【発明が解決しようとする課題】
しかし、前述した図６の申込み書５０は、申込み者に必要事項を記入してもらった後に、店舗控えとして、その申込み書（台紙部分）５０をコピーして保管していたので、そのコピー作業が煩雑である、という問題があった。
【００１０】
（Ａ）この問題を解決するために、カード台紙に複写用紙を設けて、図７のカード発行システム（マッチングインサータ）によって、カードとカード台紙とのマッチング処理を行うことが考えられるが、以下のような問題がある。
（１）台紙への複写機能追加の困難性
マッチングインサータは、複写のために枚目を増やすと、カード台紙の搬送不良が発生する可能性があった。
【００１１】
（２）カード台紙の面積上の制約
申込書として使う場合に、申込事項記入欄のレイアウトにもカード台紙としての制約が生じてしまうので、記入項目が増えた（アンケート追加など）場合に、対応ができない可能性がある。
【００１２】
（Ｂ）一方、申込書を別に複写伝票することも考えられる。
しかし、後の登録処理をするときに、申込書とカード（又はカード台紙）のマッチングが必要となる。つまり、申込書に番号を予め印刷した場合には、カード（又はカード台紙）と１対で使用することが前提となるが、以下のような問題がある。
（１）番号順に使うなど伝票の管理が難しい。
（２）書き損じの場合に、バーコード番号など機械読取番号では、伝票の再発行が困難である。
【００１３】
そこで、本発明の課題は、店舗発行のカードに、カード台紙を用いる場合であっても、コピーを取る手間を省くことができるカード申込み書類を提供することである。
【００１４】
【課題を解決するための手段】
前記課題を解決するために、請求項１の発明は、カード（１０）と、前記カードが装着されるカード台紙（２０）と、前記カード台紙又は前記カードに貼付され、剥離及び再貼付が可能であり、少なくともカードを特定できる情報を含むカード情報の印字部を有するラベル（３０）と、申込事項記入部及び前記ラベルを貼付するラベル貼付部を有し、控え票が複写可能であって、申込み用の複写伝票（４０）とを備え、前記ラベル（３０）は、印字可能なラベル基材（３１）と、前記ラベル基材の裏面に形成され、剥離かつ再粘着可能な第１粘着層（３２）と、前記第１粘着層が剥離可能な透明又は半透明な中間基材（３３）と、前記中間基材を前記カード台紙又は前記カードに粘着する透明又は半透明な第２粘着層（３４）とを含み、前記カード台紙又は前記カードのラベル貼付領域に、注意を喚起する注意喚起印刷を形成したことを特徴とするカード申込み書類である。
【００１５】
請求項２の発明は、カード（１０）と、前記カードに貼付され、剥離及び再貼付が可能であり、少なくともカードを特定できる情報を含むカード情報の印字部を有するラベル（３０）と、申込事項記入部及び前記ラベルを貼付するラベル貼付部を有し、控え票が複写可能であって、申込み用の複写伝票（４０）とを備え、前記ラベル（３０）は、印字可能なラベル基材（３１）と、前記ラベル基材の裏面に形成され、剥離かつ再粘着可能な第１粘着層（３２）と、前記第１粘着層が剥離可能な透明又は半透明な中間基材（３３）と、前記中間基材を前記カードに粘着する透明又は半透明な第２粘着層（３４）とを含み、前記カードのラベル貼付領域に、注意を喚起する注意喚起印刷を形成したことを特徴とするカード申込み書類である。
【００１７】
【発明の実施の形態】
以下、図面などを参照して、本発明の実施の形態をあげて、さらに詳しく説明する。
図１〜図３は、本発明によるカード申込み書類の実施形態を示す図であって、図１は、カード台紙（カード及びラベルを含む）を示す図、図２は、ラベルを示す図、図３は、複写伝票を示す図である。
【００１８】
本実施形態のカード申込み書類は、カード１０と、カード台紙２０と、ラベル３０と、複写伝票４０とを備えている。
カード台紙２０は、複写機能を追加することが困難であるので、申込書は、別の複写伝票４０とした。別の複写伝票４０にすれば、面積上の制約も発生することはない。
【００１９】
カード１０は、カード番号（会員番号）等のカードを特定できる情報を含むカード情報がエンコードされ、ポイントを書換え可能な磁気、ＩＣその他の記憶部を有するポイントカードである。
カード台紙２０は、図１に示すように、白紙の台紙２１に、カード装着用の切り欠き２２が形成されると共に、ラベル３０の貼付欄２３と、制御符号（コントロールキャラクタ）２４ａ，カード挿入枚数２４ｂ，カード番号２４ｃなどのカード情報を印字するカード情報印字欄２４と、申込者（宛て名）情報印字欄２５などが配置されている。
【００２０】
ラベル３０は、カード台紙２０に貼付され、剥離及び再貼付が可能であり、カード情報印字部を有するラベルである。
このラベル３０は、図２（Ａ）に示すように、印字可能な白紙（カード情報印部のある）のラベル基材３１と、ラベル基材３１の裏面に形成され、剥離かつ再粘着可能な第１粘着層３２と、第１粘着層３２が剥離可能な透明又は半透明なフィルムなどの中間基材３３と、中間基材３３をカード台紙２０に粘着する第２粘着層３４とを備えている。
【００２１】
複写伝票４０は、番号管理していない申込み用の伝票であって、図３に示すように、本票４１と、本票４１に記載された事項が選択的に複写される申込者控え票４２とを備えている。本票４１には、ラベル３０を貼付するラベル貼付部４３が設けられており、各票４１，４２には、申込事項記入欄４４や店舗記入欄４５、領収書４６などが設けられている。
【００２２】
図４は、本実施形態にかかるカード申込み書類の使用方法を示した説明図である。
まず、カード台紙２０は、白紙（カード情報印字欄２４に印字していない）台紙２１に、予め白紙（バーコード３１ａを印字していない）のラベル３０を貼り込んでおく［図４（Ａ）］。
【００２３】
ついで、カード台紙２０に装着されるカード１０とマッチングされたカード情報（２４ａ，２４ｂ，２４ｃ又は３１ａ）を、カード台紙２０及びラベル３０に一括して印字する［図４（Ｂ）］。これにより、カード１０とひも付けされたラベル３０を作成することができる。
【００２４】
さらに、申込書用の複写伝票４０を申込者に記載してもらい［図４（Ｃ）］、それを受理した時点で［図４（Ｄ）］、発行するカード１０の台紙２０に貼られたラベル３０を複写伝票４０のラベル貼付欄４３に貼ることによって、後の登録処理でもマッチングは可能である。
つまり、ラベル３０のバーコード３１ａの印字されたラベル基材３１を剥離して、複写伝票４０のラベル貼付欄４３に貼付することにより、カード１０と複写伝票４０とをマッチングさせることができる。
【００２５】
以上説明したように、従来は、カード１０と申込書とをマッチングをさせるためには、申込書への番号印刷が必要であったが、カード台紙２０への剥離・再貼付可能なバーコード３１ａが印字されるラベル３０を貼っておき、受付けた申込書用の複写伝票４０にラベル３０を貼ることにより、申込書への番号印刷を省き、発行側での帳票管理を容易にすることができる。
また、複写伝票４０であるので、従来のように、発行側でコピーをとって、管理する手間が省ける。
【００２６】
（変形形態）
以上説明した実施形態に限定されることなく、種々の変形や変更が可能であって、それらも本発明の均等の範囲内である。例えば、ラベル３０は、図２（Ｂ）に示すように、中間基材３３及び第２粘着層３４を、透明又は半透明にしておき、カード台紙２０のラベル貼付欄２３に注意を喚起する注意喚起印刷層２３ａを施すようにしてもよい。このようにすれば、ラベル３０の剥がし忘れ（申込書への貼り忘れ）を防止することができる。なお、中間基材３３の上に、同様な注意を喚起する注意喚起印刷層を形成するようにしてもよい。
【００２７】
図５は、本発明によるカード発行書類の他の実施形態を説明する図である。
カード１０に、直接バーコード３１ａを印字したラベル（剥離及び再貼付可能で粘着層が残らない）３０を貼付することによって、マッチングインサータ工程を省くことができる。
【００２８】
すなわち、カード１０に、ラベル３０を予め貼り込んでおき、カード１０とマッチングされたバーコード３１ａをラベル３０に印字することにより、カード１０とひも付けされたラベル３０を作成し、ラベル３０を剥離して、複写伝票４０に貼付することにより、カード１０と複写伝票４０とをマッチングさせることができる。
このようにすれば、カード保管場所のスペースを少なくすることができると共に、工程短縮によるコスト削減を図ることができる。
ラベル３０は、複数の粘着層を有するダブルタックラベル以外にも、例えば、剥離と接着がくり返し行える、付せん紙で用いられている粘着剤を使用してもよい。
【００２９】
【発明の効果】
以上詳しく説明したように、発行店舗が控え用にカード台紙のコピーをとる作業が不要になる、という効果がある。
【図面の簡単な説明】
【図１】本実施形態によるカード申込み書類のカード台紙（カード及びラベルを含む）を示す図である。
【図２】本実施形態によるカード申込み書類のラベルを示す図である。
【図３】本実施形態によるカード申込み書類の複写伝票を示す図である。
【図４】本実施形態によるカード申込み書類の申込み方法を示す説明図である。
【図５】本発明によるカード発行書類の他の実施形態を説明する図である。
【図６】従来のカード申込み書の一例を示す図である。
【図７】カード発行システムの一般的構成を示す図である。
【符号の説明】
１０  カード
２０  カード台紙
３０  ラベル
４０  複写伝票
【図１】
0004109337.tif 000002
【図２】
0004109337.tif 000003
【図３】
0004109337.tif 000004
【図４】
0004109337.tif 000005
【図５】
0004109337.tif 000006
【図６】
0004109337.tif 000007
【図７】
0004109337.tif 000008